【手続補正書】
【提出日】平成14年8月19日(2002.8.19)
【手続補正１】
【補正対象書類名】明細書
【補正対象項目名】特許請求の範囲
【補正方法】変更
【補正の内容】
【特許請求の範囲】
【請求項１】
飲料フィルタカートリッジであって、
底と、前記底壁から上方開口部を囲む円状縁まで延びる側壁とを有するカップ型外側容器であって、前記側壁は縁から中間部まで下方に延びる上方部を有すると共に、中間部から底壁まで下方に延びる下方傾斜部を有しており、前記下方傾斜部は、周辺に一定間隔をあけた複数の縦溝を備えるように構成されたカップ型外側容器と、
前記容器に受容されるフィルタ部材であって、前記フィルタ部材は、前記側壁に取り付けられていると共に前記容器の内部を第１室と第２室に分割するよう構成配置されたフィルタ部材と、
前記第１室に保存された飲料媒体と、
前記側壁に縁において取り付けられ上方開口部を閉じるカバーであって、前記カバーは、降伏可能に貫通可能であり液体を前記第１室に注入して飲料媒体と混ぜて飲料を生成できるようになっており、前記フィルタ部材は、浸透性であり前記飲料が第１室から第２室へ流れるようにし、前記底壁は、降伏可能に貫通可能であり前記飲料が第２室から前記カートリッジの外部へ流出するようにするカバーと、
を備えることを特徴とする飲料フィルタカートリッジ。
【請求項２】
請求項１に記載の飲料フィルタカートリッジであって、
前記縦溝は、前記中間部の下で終端する上端から前記底壁の下端まで下方に延びることを特徴とする飲料フィルタカートリッジ。
【請求項３】
請求項２に記載の飲料フィルタカートリッジであって、
前記縦溝の下端は、前記底壁の鋸歯状へこみを規定していることを特徴とする飲料フィルタカートリッジ。
【請求項４】
請求項２または３に記載の飲料フィルタカートリッジであって、
前記縦溝の深さは、上端の最小値から下端の最大値まで徐々に増加していることを特徴とする飲料フィルタカートリッジ。
【請求項５】
請求項２または３に記載の飲料フィルタカートリッジであって、
前記縦溝の幅は、上端の最小値から下端の最大値まで徐々に増加していることを特徴とする飲料フィルタカートリッジ。
【請求項６】
請求項１に記載の飲料フィルタカートリッジであって、
前記フィルタ部材は、前記側壁に前記中間部で取り付けられていることを特徴とする飲料フィルタカートリッジ。
【請求項７】
請求項１に記載の飲料フィルタカートリッジであって、
前記中間部は、前記上部を下部に取り付けるレッジにより規定されており、
前記フィルタ部材は、前記側壁に前記レッジで取り付けられていることを特徴とする飲料フィルタカートリッジ。
【請求項８】
請求項７に記載の飲料フィルタカートリッジであって、
前記レッジは、前記上部から前記下部まで内側に傾斜しており、
中間部分の傾斜角は、下部の傾斜角よりも大きいことを特徴とする飲料フィルタカートリッジ。
【請求項９】
請求項１に記載の飲料フィルタカートリッジであって、
前記上部は、前記円状縁から下方に延びる上方部分と前記中間部から上方に延びる下方部分とを有しており、前記上方部分は外側に広がり、前記下方部分は内側に傾斜しており、上方及び下方部分の接合点は、外側スタッキングショルダを規定していることを特徴とする飲料フィルタカートリッジ。
【請求項１０】
請求項１に記載の飲料フィルタカートリッジであって、
底壁は、上方に突出し中央に位置する突起を備えられて、フィルタ部材の下端は、前記突起上に支持されていることを特徴とする飲料フィルタカートリッジ。
【請求項１１】
請求項１０に記載の飲料フィルタカートリッジであって、  前記フィルタの下端は、突起に固定されていることを特徴とする飲料フィルタカートリッジ。
【請求項１２】
請求項１に記載の飲料フィルタカートリッジであって、
前記フィルタ部材は、前記縦溝に接触し、かつ、前記縦溝に放射状に支持されていることを特徴とする飲料フィルタカートリッジ。
【請求項１３】
請求項１に記載の飲料フィルタカートリッジであって、
前記底は、下方に突出し中央に位置する、内部液だめを規定する突起を備えており、
前記フィルタ部材の下端は前記液だめに支えられることを特徴とする飲料フィルタカートリッジ。
【請求項１４】
請求項１３に記載の飲料フィルタカートリッジであって、
前記フィルタ部材は、前記液だめの底に固定されていることを特徴とする飲料フィルタカートリッジ。
【請求項１５】
請求項１に記載の飲料フィルタカートリッジであって、
前記外側容器は、不浸透性であることを特徴とする飲料フィルタカートリッジ。
【請求項１６】
請求項１または１５に記載の飲料フィルタカートリッジであって、
前記カバーは、不浸透性であることを特徴とする飲料フィルタカートリッジ。
【請求項１７】
飲料フィルタカートリッジであって、
底と、前記底壁から上方開口部を囲む円状縁まで延びる側壁とを有するカップ型外側容器であって、前記側壁は、縁から中間部まで下方に延びる上方部を有すると共に、中間部から底壁まで下方に延びる下方傾斜部を有しており、その傾斜部は、周辺に一定間隔をあけた複数の縦溝を備えるように構成されたカップ型外側容器と、
前記容器に受容されるフィルタ部材であって、前記フィルタ部材は、縦溝に接触し縦溝に放射状に支持されていると共に、前記容器の内部を第１室と第２室に分割する位置において前記側壁に取り付けられているフィルタ部材と、
第１室に保存された飲料媒体と、
前記側壁に縁において取り付けられ上方開口部を閉じるカバーであって、前記カバーは、降伏可能に貫通可能であり液体を前記第１室に注入して飲料媒体と混ぜて飲料を生成できるようになっており、前記フィルタ部材は、浸透性であり前記飲料が第１室から第２室へ流れるようにし、前記底壁は、降伏可能に貫通可能であり前記飲料が第２室から前記カートリッジの外部へ流出するようにするカバーと、
を備えることを特徴とする飲料フィルタカートリッジ。
【請求項１８】
飲料フィルタカートリッジであって、
底壁と、前記底壁から上方開口部を囲む円状縁まで延びる側壁とを有するカップ型容器であって、前記側壁は、縁から中間部まで下方に延びる上方部分を有すると共に、中間部から底壁まで下方に延びる下方傾斜部を有しており、前記底には下方に突出し中央に位置する内部液だめを規定する突起を備える、カップ型容器と、
前記容器に受容される円錐フィルタ部材であって、前記フィルタ部材の底は、液だめに向かって下方に突出しており、前記フィルタ部材は、前記側壁に取り付けられていると共に前記容器の内部を第１室と第２室に分割するよう構成配置されている円錐フィルタ部材と、
第１室に保存された飲料媒体と、
前記側壁に縁において取り付けられ上方開口部を閉じるカバーであって、前記カバーは、降伏可能に貫通可能であり液体を前記第１室に注入して飲料媒体と混ぜて飲料を生成できるようになっており、前記フィルタ部材は、浸透性であり前記飲料が第１室から第２室へ流れるようにし、前記底壁は、降伏可能に貫通可能であり前記飲料が第２室から前記カートリッジの外部へ流出するようにするカバーと、
を備えることを特徴とする飲料フィルタカートリッジ。
【請求項１９】
請求項１８に記載の飲料フィルタカートリッジであって、
前記フィルタ部材は、液だめの底に固定されていることを特徴とする飲料フィルタカートリッジ。
【請求項２０】
飲料フィルタカートリッジであって、
底壁と、前記底壁から上方開口部を囲む円状縁まで延びる側壁とを有するカップ型外側容器であって、前記側壁は、前記縁から内側に突き出るレッジまで下方に延びる上方部を有すると共に、中間部から前記底壁まで下方に延びる下方傾斜部を有するカップ型外側容器と、
前記容器に受容されるフィルタ部材であって、前記フィルタ部材は、前記レッジに取り付けられると共に前記容器の内部を第１室と第２室に分割するよう構成配置されているフィルタ部材と、
第１室に保存された飲料媒体と、
前記側壁に縁において取り付けられ上方開口部を閉じるカバーであって、前記カバーは、降伏可能に貫通可能であり液体を前記第１室に注入して飲料媒体と混ぜて飲料を生成できるようになっており、前記フィルタ部材は、浸透性であり前記飲料が第１室から第２室へ流れるようにし、前記底壁は、降伏可能に貫通可能であり前記飲料が第２室から前記カートリッジの外部へ流出するようにするカバーと、
を備えることを特徴とする飲料フィルタカートリッジ。
【請求項２１】
請求項２０に記載の飲料フィルタカートリッジであって、
前記レッジは、前記上方部から前記下方部まで内側に傾斜しており、
前記レッジの傾斜角は、前記下方部の傾斜角よりも大きいことを特徴とする飲料フィルタカートリッジ。
【請求項２２】
請求項２０に記載の飲料フィルタカートリッジであって、
前記上方部は、前記円状縁から下方に延びる上方部分と前記レッジから上方に延びる下方部分とを有し、前記上方部分は外側に広がり、前記下方部分は内側に傾斜し、前記上下部分の接合点は、外側スタッキングショルダを規定することを特徴とする飲料フィルタカートリッジ。